(57)【特許請求の範囲】
【請求項１】
色検査対象物に対して光を照射するとともに、当該色検査対象物から反射されてくる光のＸＹＺ値を取得する測色センサと、
前記色検査対象物の色検査において合否判定の基準とするＸＹＺ値の領域範囲の指定を行う領域範囲指定部と、
前記領域範囲指定部により指定されたＸＹＺ値の領域範囲を合否判定の基準に設定する領域範囲設定部と、
前記測色センサが取得した前記色検査対象物から反射されてくる光の測色値が、前記領域範囲設定部において設定されたＸＹＺ値の領域範囲にあるか否かの合否判定をする色検査合否判定部と、
画面上に予め定められたＧＵＩが表示される表示装置と、
を備え、
前記ＧＵＩは、領域範囲表示設定部と、合否判定表示部を含む構成とされており、
前記領域範囲表示設定部は、２次元グラフによる表示設定部と、数値による表示設定部とに区分けされ、
前記領域範囲指定部は、前記２次元グラフによる表示設定部、または、前記数値による表示設定部の何れか一方の表示設定部を通じた操作によって、前記合否判定の基準とするＸＹＺ値の領域範囲を指定可能に構成されているとともに、当該領域範囲の指定がされた場合には、前記領域範囲設定部が、そのＸＹＺ値の領域範囲を示すデータを前記操作した一方の表示設定部及び他方の表示設定部を通じて相互にリアルタイムで表示させ、さらに、前記色検査合否判定部は、前記合否判定の結果を前記合否判定表示部を通じて表示させることを特徴とする色検査合否判定装置。
【請求項２】
前記２次元グラフによる表示設定部は、ＸＹ平面、ＹＺ平面、ＺＸ平面の３つの平面のうちから表示設定に用いる１つの平面を選択し、当該選択した平面において２次元グラフが表示できるよう構成され、当該選択した平面において表示されない次元を基準点の座標として設定した際の、可視色域境界を、当該選択した平面において表示される２次元グラフ上に所定の色を用いて表示するとともに、当該選択した平面において表示されない次元を基準点の座標として設定した際の、各座標点を、その明るさと色によって、当該選択した平面において表示される２次元グラフ上に表示することを特徴とする請求項１記載の色検査合否判定装置。
【請求項３】
前記２次元グラフによる表示設定部は、前記測色センサにより過去に取得された所定数分のＸＹＺ値、または、前記測色センサにより同時に取得された所定数分のＸＹＺ値を前記選択した平面における２次元グラフ上にプロット表示可能に構成されていることを特徴とする請求項２記載の色検査合否判定装置。
【請求項４】
前記２次元グラフによる表示設定部は、２次元グラフ上において所望の範囲を範囲指定枠で囲むことにより、前記領域範囲を指定可能に構成されていることを特徴とする請求項１〜３何れか１項記載の色検査合否判定装置。
【請求項５】
前記数値による表示設定部は、前記指定を行うＸＹＺの各値の基準値と、その許容範囲を数値入力することで、前記領域範囲を指定可能とする入力ボックスが表示されていることを特徴とする請求項１〜４何れか１項記載の色検査合否判定装置。
【請求項６】
色検査対象物の色検査において合否判定の基準とするＸＹＺ値の領域範囲の指定を表示装置の画面上に表示される予め定められたＧＵＩを通じて行う領域範囲指定ステップと、
前記領域範囲指定ステップにより指定されたＸＹＺ値の領域範囲を合否判定の基準に設定する領域範囲設定ステップと、
前記色検査対象物に対して光を照射するとともに、当該色検査対象物から反射されてくる光のＸＹＺ値を取得する測色値取得ステップと、
前記測色値取得ステップにおいて取得した前記色検査対象物から反射されてくる光の測色値が、前記領域範囲設定ステップにおいて設定されたＸＹＺ値の領域範囲にあるか否かの合否判定をする色検査合否判定ステップと、
を含み、
前記領域範囲指定ステップは、領域範囲表示設定部と、合否判定表示部を含む構成のＧＵＩを通じて領域範囲の指定を行うものであり、且つ、前記領域範囲表示設定部は、２次元グラフによる表示設定部と、数値による表示設定部とに区分けされるものを用い、前記２次元グラフによる表示設定部、または、数値による表示設定部の何れか一方の表示設定部を通じた操作によって、前記合否判定の基準とするＸＹＺ値の領域範囲を指定し、当該領域範囲の指定がされた場合には、そのＸＹＺ値の領域範囲を示すデータが、前記操作した一方の表示設定部及び他方の表示設定部を通じて相互にリアルタイムで表示させ、さらに、前記色検査合否判定ステップは、前記合否判定の結果を前記合否判定表示部を通じて表示させることを特徴とする色検査合否判定方法。
【請求項７】
前記領域範囲指定ステップは、前記２次元グラフによる表示設定部において、ＸＹ平面、ＹＺ平面、ＺＸ平面の３つの平面のうちから表示設定に用いる１つの平面を選択し、当該選択した平面において２次元グラフを表示させ、当該選択した平面において表示されない次元を基準点の座標として設定した際の、可視色域境界を、当該選択した平面において表示される２次元グラフ上に所定の色を用いて表示させるとともに、当該選択した平面において表示されない次元を基準点の座標として設定した際の、各座標点を、その明るさと色によって、当該選択した平面において表示される２次元グラフ上に表示させることを特徴とする請求項６記載の色検査合否判定方法。
【請求項８】
前記領域範囲指定ステップは、前記２次元グラフによる表示設定部において、前記測色値取得ステップにより過去に取得された所定数分のＸＹＺ値、または、前記測色値取得ステップにより同時に取得された所定数分のＸＹＺ値を前記選択した平面における２次元グラフ上にプロット表示させることを特徴とする請求項７記載の色検査合否判定方法。
【請求項９】
前記領域範囲指定ステップは、前記２次元グラフによる表示設定部に表示される２次元グラフ上において所望の範囲を範囲指定枠で囲むことにより、前記領域範囲を指定することを特徴とする請求項６〜８何れか１項記載の色検査合否判定方法。
【請求項１０】
前記数値による表示設定部は、前記指定を行うＸＹＺの各値の基準値と、その領域範囲を数値入力可能とする入力ボックスが表示されており、前記領域範囲指定ステップは、前記入力ボックスを通じた操作によって、前記合否判定の基準とするＸＹＺ値の領域範囲を指定することを特徴とする請求項６〜９何れか１項記載の色検査合否判定方法。
【発明の詳細な説明】
【技術分野】
【０００１】
本発明は、被検査対象物（例えば、印刷物など）の色が基準範囲内にあるか否かの合否判定を行う色検査において、簡易に基準範囲の指定ができ、そして、その指定後の基準範囲が視認しやすく、また、合否判定の結果も視認しやすい色検査合否判定装置及び色検査合否判定方法に関するものである。
【背景技術】
【０００２】
従来から、物体の色が基準範囲内にあるか否かの合否判定を行う色検査において、検査対象物に対して光源から光を照射し、それにより反射される光の測色値ＸＹＺを取得する構成の測色センサから入力されるＸＹＺ値について、予め設定された合否判定基準を満たすかどうか判定するといった手法が採用されてきている。この時、ＸＹＺ表色系では、３次元の値で色を表現するため、合否判定基準をテキストで表示する（図８参照）場合は、直感的に判別しにくいという問題があった。
【０００３】
また、数値表示のみの場合は、ＸＹＺ表色系には、可視色域外の領域が多く存在するため、指定した数値が、可視色域に含まれているか否かの判別が非常に難しいという問題もあった。そして、可視色域に含まれない領域を合格判定の領域範囲とすることには、意味が無いため、可能な限り、可視色域外の領域が含まれないよう合否判定の領域範囲を指定・設定することが望ましいとされる。
【０００４】
例えば、特許文献１には、測色した色彩データが供給されるデータ処理部と、上記データ処理部に制御データを与える操作部と、上記データ処理部による処理結果を表示する画像表示部とを備え、上記データ処理部は、上記操作部による操作入力を受け付けて、色空間上のグラフとして上記色彩データを色差許容範囲とともに上記画像表示部に表示させるデータ処理を行うことを特徴とする測色データ処理装置が開示されており、この測色データ処理装置では、上記データ処理部は、上記操作部の操作による上記色差許容範囲の指定操作を受け付けて、上記色彩データを指定された色差許容範囲とともに色空間上のグラフとして上記画像表示部に表示させるデータ処理を行い、また、上記データ処理部は、上記色彩データが色差許容範囲内に有るか否かの判定処理を行うとしている。
【０００５】
そして、この技術によれば、操作部により所望の表示色空間を指定して、その表示色空間上のグラフとして色彩データを色差許容範囲とともに画像表示部に表示させることができ、使用者が、上記画像表示部の表示内容に基づいて、上記色彩データが所望の表示色空間上において色差許容範囲内に有るか否かを簡単に判断することができるとともに、色のずれ方向も即座に判断することができるようになるとしている。
【０００６】
さらに、操作部により所望の色差許容範囲を指定して、その色差許容範囲とともに色彩データを色空間上のグラフとして上記画像表示部に表示させることができ、使用者が、上記画像表示部の表示内容に基づいて、上記色彩データが所望の色差許容範囲内に有るか否かを簡単に判断することができ、また、測定した色彩データが色差許容範囲内に有るか否かの判定処理をデータ処理部により定量的に行うことができるとしている。
【０００７】
また、特許文献２には、基準印刷物の所定の点の色と被検査印刷物の該所定の点の色とを測定する測定手段と、前記測定手段により測定された基準印刷物の色と被検査印刷物の色との差に応じて各印刷物の品質を判定する判断手段と、前記測定手段により得られたデータから各色の塗液濃度や塗液粘度の変動を検出する塗液変動検出手段と、前記測定手段により複数の所定の測定点から得られるデータから印刷物面内の部分的な濃度や色の変動を検出する色変動検出手段と、前記測定手段により基準印刷物の色に対し、印刷物全体の色の差と色の変動方向を判定する変動方向判定手段と、前記判定手段の判定結果を印刷物のロット毎に集計する集計手段とを具備することを特徴とする印刷物品質管理装置が開示されており、さらに、前記所定の測定点の位置が示された印刷物のイメージ表示と、各点の判定結果の明度差、色差、濃度等をグラフィック表示する表示手段を具備するとしている。そして、この技術によれば、未熟な若年者でも色の合否判断や、色の変動方向を認識することができるとある。
【先行技術文献】
【特許文献】
【０００８】
【特許文献１】特開平６−２４２７５７号公報
【特許文献２】特開平１０−３１５４３６号公報
【発明の概要】
【発明が解決しようとする課題】
【０００９】
しかしながら、上記特許文献１に開示されている測色データ処理装置は、確かに、選択した表示色空間（ＲＧＢ空間や、ＸＹＺ空間）上のグラフとして色彩データを指定した色差許容範囲とともに画像表示部に表示させることができるため、使用者にとって、色彩データが所望の色差許容範囲内に有るか否かを判断することはできるが、指定する色差許容範囲が、選択した表示色空間に２次元或いは３次元グラフにおいて示されるだけであるため、直感的な範囲指定が難しいとされている。
【００１０】
また、例えば、ＸＹＺ空間上の２次元グラフを選択し、そのグラフ上に指定する色差許容範囲が表示されたとしても、キーボードやマウスにて、例えば、ＸＹＺ表示系における可視色域外の領域を指定してしまった場合には、合否判定に意味が無くなるため、再度指定しなくてはならなくなり、設定の効率上、更なる改良が必要とされてきていた。
【００１１】
そして、上記特許文献２に開示されている印刷物品質管理装置は、確かに、測定点の位置が示された印刷物のイメージが表示されるとともに、各測色点の値と、基準値の色差が所定の許容範囲内であるかの判定結果がグラフィック表示されるが、使用者による許容範囲の指定ができず、当然ながら、直感的な範囲指定もできず、使い勝手が悪いとされている。
【００１２】
本発明は、上述の課題を解決するためのもので、被検査対象物の色が基準範囲内にあるか否かの合否判定（色検査合否判定）を行う色検査において、簡易に基準範囲の指定を直感的に行うことができ、そして、その指定後の基準範囲が視認しやすく、また、合否判定の結果も視認しやすい色検査合否判定装置及び色検査合否判定方法を提供することにある。
【課題を解決するための手段】
【００１３】
上述の課題に対応するため、本発明は、以下の技術的手段を講じている。
即ち、請求項１記載の発明は、色検査対象物に対して光を照射するとともに、当該色検査対象物から反射されてくる光のＸＹＺ値を取得する測色センサと、前記色検査対象物の色検査において合否判定の基準とするＸＹＺ値の領域範囲の指定を行う領域範囲指定部と、前記領域範囲指定部により指定されたＸＹＺ値の領域範囲を合否判定の基準に設定する領域範囲設定部と、前記測色センサが取得した前記色検査対象物から反射されてくる光の測色値が、前記領域範囲設定部において設定されたＸＹＺ値の領域範囲にあるか否かの合否判定をする色検査合否判定部と、画面上に予め定められたＧＵＩが表示される表示装置とを備え、前記ＧＵＩは、領域範囲表示設定部と、合否判定表示部を含む構成とされており、前記領域範囲表示設定部は、２次元グラフによる表示設定部と、数値による表示設定部とに区分けされ、前記領域範囲指定部は、前記２次元グラフによる表示設定部、または、前記数値による表示設定部の何れか一方の表示設定部を通じた操作によって、前記合否判定の基準とするＸＹＺ値の領域範囲を指定可能に構成されているとともに、当該領域範囲の指定がされた場合には、前記領域範囲設定部が、そのＸＹＺ値の領域範囲を示すデータを前記操作した一方の表示設定部及び他方の表示設定部を通じて相互にリアルタイムで表示させ、さらに、前記色検査合否判定部は、前記合否判定の結果を前記合否判定表示部を通じて表示させることを特徴とする色検査合否判定装置である。
【００１４】
また、請求項２記載の発明は、請求項１記載の色検査合否判定装置であって、前記２次元グラフによる表示設定部は、ＸＹ平面、ＹＺ平面、ＺＸ平面の３つの平面のうちから表示設定に用いる１つの平面を選択し、当該選択した平面において２次元グラフが表示できるよう構成され、当該選択した平面において表示されない次元を基準点の座標として設定した際の、可視色域境界を、当該選択した平面において表示される２次元グラフ上に所定の色を用いて表示するとともに、当該選択した平面において表示されない次元を基準点の座標として設定した際の、各座標点を、その明るさと色によって、当該選択した平面において表示される２次元グラフ上に表示することを特徴としている。
【００１５】
さらに、請求項３記載の発明は、請求項２記載の色検査合否判定装置であって、前記２次元グラフによる表示設定部は、前記測色センサにより過去に取得された所定数分のＸＹＺ値、または、前記測色センサにより同時に取得された所定数分のＸＹＺ値を前記選択した平面における２次元グラフ上にプロット表示可能に構成されていることを特徴としている。そして、請求項４記載の発明は、請求項１〜３何れか１項記載の色検査合否判定装置であって、前記２次元グラフによる表示設定部は、２次元グラフ上において所望の範囲を範囲指定枠で囲むことにより、前記領域範囲を指定可能に構成されていることを特徴としている。また、請求項５記載の発明は、請求項１〜４何れか１項記載の色検査合否判定装置であって、前記数値による表示設定部は、前記指定を行うＸＹＺの各値の基準値と、その許容範囲を数値入力することで、前記領域範囲を指定可能とする入力ボックスが表示されていることを特徴としている。
【００１６】
そして、請求項６記載の発明は、色検査対象物の色検査において合否判定の基準とするＸＹＺ値の領域範囲の指定を表示装置の画面上に表示される予め定められたＧＵＩを通じて行う領域範囲指定ステップと、前記領域範囲指定ステップにより指定されたＸＹＺ値の領域範囲を合否判定の基準に設定する領域範囲設定ステップと、前記色検査対象物に対して光を照射するとともに、当該色検査対象物から反射されてくる光のＸＹＺ値を取得する測色値取得ステップと、前記測色値取得ステップにおいて取得した前記色検査対象物から反射されてくる光の測色値が、前記領域範囲設定ステップにおいて設定されたＸＹＺ値の領域範囲にあるか否かの合否判定をする色検査合否判定ステップとを含み、前記領域範囲指定ステップは、領域範囲表示設定部と、合否判定表示部を含む構成のＧＵＩを通じて領域範囲の指定を行うものであり、且つ、前記領域範囲表示設定部は、２次元グラフによる表示設定部と、数値による表示設定部とに区分けされるものを用い、前記２次元グラフによる表示設定部、または、数値による表示設定部の何れか一方の表示設定部を通じた操作によって、前記合否判定の基準とするＸＹＺ値の領域範囲を指定し、当該領域範囲の指定がされた場合には、そのＸＹＺ値の領域範囲を示すデータが、前記操作した一方の表示設定部及び他方の表示設定部を通じて相互にリアルタイムで表示させ、さらに、前記色検査合否判定ステップは、前記合否判定の結果を前記合否判定表示部を通じて表示させることを特徴とする色検査合否判定方法である。
【００１７】
また、請求項７記載の発明は、請求項６記載の色検査合否判定方法であって、前記領域範囲指定ステップは、前記２次元グラフによる表示設定部において、ＸＹ平面、ＹＺ平面、ＺＸ平面の３つの平面のうちから表示設定に用いる１つの平面を選択し、当該選択した平面において２次元グラフを表示させ、当該選択した平面において表示されない次元を基準点の座標として設定した際の、可視色域境界を、当該選択した平面において表示される２次元グラフ上に所定の色を用いて表示させるとともに、当該選択した平面において表示されない次元を基準点の座標として設定した際の、各座標点を、その明るさと色によって、当該選択した平面において表示される２次元グラフ上に表示させることを特徴としている。
【００１８】
さらに、請求項８記載の発明は、請求項７記載の色検査合否判定方法であって、前記領域範囲指定ステップは、前記２次元グラフによる表示設定部において、前記測色値取得ステップにより過去に取得された所定数分のＸＹＺ値、または、前記測色値取得ステップにより同時に取得された所定数分のＸＹＺ値を前記選択した平面における２次元グラフ上にプロット表示させることを特徴としている。またさらに、請求項９記載の発明は、請求項６〜８何れか１項記載の色検査合否判定方法であって、前記領域範囲指定ステップは、前記２次元グラフによる表示設定部に表示される２次元グラフ上において所望の範囲を範囲指定枠で囲むことにより、前記領域範囲を指定することを特徴としている。そして、請求項１０記載の発明は、請求項６〜９何れか１項記載の色検査合否判定方法であって、前記数値による表示設定部は、前記指定を行うＸＹＺの各値の基準値と、その領域範囲を数値入力可能とする入力ボックスが表示されており、前記領域範囲指定ステップは、前記入力ボックスを通じた操作によって、前記合否判定の基準とするＸＹＺ値の領域範囲を指定することを特徴としている。
【発明の効果】
【００１９】
本発明によれば、被検査対象物の色検査における合否判定基準を簡単に設定及び変更することができるとともに、設定した合否判定基準を２次元グラフによって直感的に確認することが可能である。また、ＸＹＺ表色系の値をＧＵＩ上にて図示することができることから、例えば、ＸＹＺ表色系から、Ｙｘｙ表色系など、他の表色系への変換が不要となり、その結果、変換過程で生じるような計算誤差も無くすことができる。
【図面の簡単な説明】
【００２０】
【図１】本発明に係る色検査合否判定装置の実施形態を示した構成概略図である。
【図２】本発明に係る色検査合否判定装置の実施形態におけるＧＵＩの構成を示した図である。
【図３】本発明に係る色検査合否判定装置の実施形態における２次元グラフによる表示設定部を示したもので、（ａ）はＸＹ平面、（ｂ）はＹＺ平面、（ｃ）はＺＸ平面を表している。
【図４】本発明に係る色検査合否判定方法の実施形態を示したフローである。
【図５】本発明に係る色検査合否判定方法の実施形態における数値による領域範囲指定及び設定を示したフローである。
【図６】本発明に係る色検査合否判定方法の実施形態における２次元グラフによる領域範囲指定及び設定を示したフローである。
【図７】本発明に係る色検査合否判定方法の実施形態における合否判定を示したフローである。
【図８】従来の合否判定基準設定画面を示した図である。
【発明を実施するための形態】
【００２１】
本発明に係る色検査合否判定装置及び色検査合否判定方法の実施形態について、図面を参照しながら説明する。図１は、本発明に係る色検査合否判定装置の実施形態を示した構成概略図で、図２は、本発明に係る色検査合否判定装置の実施形態におけるＧＵＩ（Graphical User Interface、以下同じ。）の構成を示した図で、図３は、本発明に係る色検査合否判定装置の実施形態における２次元グラフによる表示設定部を示したもので、（ａ）はＸＹ平面、（ｂ）はＹＺ平面、（ｃ）はＺＸ平面を表している。
【００２２】
また、図４は、本発明に係る色検査合否判定方法の実施形態を示したフローで、図５は、本発明に係る色検査合否判定方法の実施形態における数値による領域範囲指定及び設定を示したフロー、図６は、本発明に係る色検査合否判定方法の実施形態における２次元グラフによる領域範囲指定及び設定を示したフロー、そして、図７は、本発明に係る色検査合否判定方法の実施形態における合否判定を示したフローである。
【００２３】
また、符号については、１０が色検査合否判定装置、１２が測色センサ、１４が領域範囲指定部、１６が領域範囲設定部、１８が色検査合否判定部、２０がＧＵＩ、２２が表示装置、２４が領域範囲表示設定部、２６が合否判定表示部、２８が２次元グラフによる表示設定部、３０が数値による表示設定部、３２がラジオボタン、３４がカーソル、３６が基準点、３８が測色値、４０が合否境界（領域範囲）、４２が入力ボックスを表している。
【００２４】
本実施形態における色検査合否判定装置１０は、図１に示すように、色検査対象物に対して光を照射するとともに、この色検査対象物から反射されてくる光のＸＹＺ値を取得する測色センサ１２と、色検査対象物の色検査において合否判定の基準とするＸＹＺ値の領域範囲の指定を行う領域範囲指定部１４と、領域範囲指定部１４により指定されたＸＹＺ値の領域範囲を合否判定の基準に設定する領域範囲設定部１６と、測色センサ１２が取得した色検査対象物から反射されてくる光の測色値が、領域範囲設定部１６において設定されたＸＹＺ値の領域範囲にあるか否かの合否判定をする色検査合否判定部１８と、画面上に予め定められたＧＵＩ２０が表示される表示装置２２とを備えている。
【００２５】
ここで、測色センサ１２は、本実施形態において、ＸＹＺ等色関数と等価な分光感度を持つ光電センサ、分光器及び分光器出力がＸＹＺ等色関数となるように係数を乗じてＸＹＺ値を出力する機構を持つ装置、そして、ＸＹＺ等色関数と等価な分光感度を持つ１次元又は２次元画像センサを含むものを用いるのが好ましい。また、測色センサ１２、領域範囲指定部１４、領域範囲設定部１６、色検査合否判定部１８、そして、ＧＵＩ２０を１つの装置として纏めるよう構成すれば、狭いスペースでも設置可能となり、また、ユーザーにとって扱いやすくなるという効果が生じる。
【００２６】
また、本実施形態における色検査合否判定装置１０は、図２に示すように、ＧＵＩ２０が、領域範囲表示設定部２４と、合否判定表示部２６を含む構成とされており、領域範囲表示設定部２４は、２次元グラフによる表示設定部２８と、数値による表示設定部３０とに区分けされ、領域範囲指定部１４は、２次元グラフによる表示設定部２８、または、数値による表示設定部３０の何れか一方の表示設定部を通じた操作によって、合否判定の基準とするＸＹＺ値の領域範囲（合否境界）を指定可能に構成されている。
【００２７】
そして、領域範囲の指定がされた場合には、領域範囲設定部１６が、そのＸＹＺ値の領域範囲を示すデータを操作した一方の表示設定部及び他方の表示設定部を通じて相互にリアルタイムで表示させ、さらに、色検査合否判定部１８は、合否判定の結果を合否判定表示部２６を通じて表示させるよう構成されている。
【００２８】
例えば、図２に示すように、ポインティングデバイスによって操作されるカーソル３４で、２次元グラフによる表示設定部２８において、合否境界（領域範囲）を枠で指定すれば、領域範囲設定部１６により、そのデータから基準値及び許容範囲が計算され、それが、数値による表示設定部３０を通じてリアルタイムに数値として反映表示さる。また、逆に、数値による表示設定部３０において、基準値と合否境界（領域範囲）を数値によって指定すれば、領域範囲設定部１６により、そのデータから基準点及び合否境界（領域範囲）が計算され、それが、２次元グラフによる表示設定部２８を通じてリアルタイムに反映表示されるようになっている。
【００２９】
なお、本実施形態では、カーソル３４は、矢印や、十字線により表示し、ポインティングデバイスは、マウス、トラックパッド、上下左右方向に移動を指示するボタン、そして、上下左右方向に移動を指示するダイヤルといったもので構成するのが好ましい。また、本図では、数値による表示設定部３０は、複数の入力ボックス４２が並設されており、左の３つの入力ボックス４２は、ＸＹＺそれぞれの基準値を数値で入力するもの、右の３つの入力ボックス４２は、ＸＹＺそれぞれの領域範囲を数値で入力するものである。
【００３０】
さらに、本実施形態においては、２次元グラフによる表示設定部２８は、図２に示すように、ポインティングデバイスによって操作されるカーソル３４を画面上に移動させて、ＸＹ平面、ＹＺ平面、ＺＸ平面の３つの平面のうちから表示設定に用いる１つの平面をラジオボタン３２により選択し、その選択した平面において２次元グラフを表示させるよう構成されている。なお、本図においては、ＸＹ平面を選択している。
【００３１】
そして、選択した平面において表示されない次元（本図においては、Ｚとなる。）を基準点の座標として設定した際の、可視色域境界を、選択した平面において表示される２次元グラフ上に所定の色を用いて表示するとともに、選択した平面において表示されない次元（本図においては、Ｚとなる。）を基準点の座標として設定した際の、各座標点を、その明るさと色によって、選択した平面において表示される２次元グラフ上に表示するようになっている。
【００３２】
なお、図中、可視色域境界の内側は、各座標点を、明るさと色によるグラデーションで表現されており、可視色域境界の外側、即ち、可視色域外は、斜線にて表現されている。また、基準点３６は、黒丸にて、測色値３８は、白丸にて表現されている。ここで、白丸で表現されている測色値３８は、図中に２つプロットされているが、これは、メモリー（図示せず）に記録させておいた過去の測色値を所定数分（本図では、２回分）表示させているものである。また、例えば、被色検査対象物において複数の検査領域を設定した場合、それぞれの検査領域で、同時に取得した複数の測色値３８を白丸にて所定数分プロットさせるように構成しても良い。さらに、合否境界（領域範囲）４０は、四角の枠にて囲まれた範囲で表現されている。
【００３３】
続いて、本実施形態において、合否判定基準は、基準点及び合否境界（領域範囲）、または、合否境界（領域範囲）のみで構成されている。つまり、ＸＹＺの３次元のうち、少なくとも１次元以上の数値について、基準値と、基準値について加減される許容範囲（領域範囲）とからなる２つの指標としている。また、合否判定において、合格とする範囲（合格範囲）の上限と下限とからなる２つの指標で表されるものとしても良い。なお、この場合、合格範囲の上限は、基準値＋許容範囲に等しく、合格範囲の下限は、基準値−許容範囲に等しい。
【００３４】
次に、本実施形態においては、ＸＹＺ表色系において色検査を行うときの合否判定の基準を、図２に示す数値による表示設定部３０にて直接数値を入力して設定するだけでなく、ＧＵＩ２０に示す２次元グラフ上で、ポインティングデバイスによって操作されるカーソル３４によっても設定することができる。また、２次元グラフは、図２及び３に示すように、ＸＹ平面、ＹＺ平面、ＺＸ平面の３種類の平面を切り換えて表示できるものとしている。
【００３５】
さらに、２次元グラフは、図２、３に示すように、可視色域内外の座標が判別できるように、表示されていない次元が、基準点の座標をとるときの可視色域境界を所定の色で描画し、可視色域外の座標点を可視色域外を示す色でプロットする（図では、斜線にて表現）。つまり、ＸＹ平面が選択されている場合には、Ｚの次元が、基準点の座標をとるときの可視色域境界を所定の色で描画し、可視色域外の座標点については、可視色域外を示す色でプロットさせるわけである。
【００３６】
また、２次元グラフは、図２、３に示すように、可視色域内の明るさや色が視覚的に判別できるように、表示されていない次元が、基準点の座標をとるときの、各座標点における明るさと色を用いて、２次元グラフ上にプロットする。つまり、ＸＹ平面が選択されている場合には、Ｚの次元が、基準点の座標をとるときの各座標点における明るさと色を用いて、２次元グラフ上に隙間無くプロットする（塗りつぶす）わけである。
【００３７】
さらに、領域範囲設定部１６は、領域範囲指定部１４により領域範囲を数値による表示設定部３０を通じて数値によって指定した場合、そのデータから基準点及び合否境界（領域範囲）を計算し、２次元グラフによる表示設定部２８に表示中の２次元グラフに表示する（図５参照）。また、領域範囲指定部１４により領域範囲を２次元グラフによる表示設定部２８に表示されている２次元グラフを通じて指定した場合は、基準値及び許容範囲（領域範囲）を計算し、数値による表示設定部３０に数値として表示するように構成されている（図６参照）。
【００３８】
続いて、本発明に係る色検査合否判定方法の実施形態について説明する。本実施形態における色検査合否判定方法は、図４に示すように、まず、色検査対象物の色検査において合否判定の基準とするＸＹＺ値の領域範囲の指定を表示装置の画面上に表示される予め定められたＧＵＩを通じて行う領域範囲指定ステップ（Ｓ１）と、領域範囲指定ステップ（Ｓ１）により指定されたＸＹＺ値の領域範囲を合否判定の基準に設定する領域範囲設定ステップ（Ｓ２）と、色検査対象物に対して光を照射するとともに、その色検査対象物から反射されてくる光のＸＹＺ値を取得する測色値取得ステップ（Ｓ３）と、測色値取得ステップ（Ｓ３）において取得した色検査対象物から反射されてくる光の測色値が、領域範囲設定ステップ（Ｓ２）において設定されたＸＹＺ値の領域範囲にあるか否かの合否判定をする色検査合否判定ステップ（Ｓ４）とを含むものである。
【００３９】
そして、領域範囲指定ステップ（Ｓ１）は、領域範囲表示設定部と、合否判定表示部を含む構成のＧＵＩを通じて領域範囲の指定を行うものであり、且つ、領域範囲表示部は、２次元グラフによる表示設定部と、数値による表示設定部とに区分けされるものを用い、２次元グラフによる表示設定部、または、数値による表示設定部の何れか一方の表示設定部を通じた操作によって、合否判定の基準とするＸＹＺ値の領域範囲を指定し、指定された場合には、そのＸＹＺ値の領域範囲を示すデータが、操作した一方の表示設定部及び他方の表示設定部を通じて相互にリアルタイムで表示させる流れとなっている（Ｓ２−１）。さらに、色検査合否判定ステップ（Ｓ４）は、合否判定の結果を合否判定表示部を通じて表示させる（Ｓ５）ようにもなっている。
【００４０】
続いて、上記の領域範囲指定ステップ（Ｓ１）は、例えば、図２に示すように、ポインティングデバイスによって操作されるカーソル３４で、２次元グラフによる表示設定部２８において、領域範囲を枠で指定すれば、領域範囲設定ステップ（Ｓ２）において、図６に示すように、基準点が設定されていなければ、そのデータから基準値及び許容範囲が計算され、また、基準点が設定されていれば、そのデータから許容範囲のみが計算され、それが、数値による表示設定部３０を通じてリアルタイムに数値として反映表示させることができるようになっている（Ｓ２−１）。
【００４１】
逆に、数値による表示設定部３０において、領域範囲を数値によって指定すれば、領域範囲設定ステップ（Ｓ２）において、図５に示すように、そのデータから基準点及び合否境界が計算され、それが、２次元グラフによる表示設定部２８を通じてリアルタイムに領域範囲が枠で反映表示させることができるようになっている（Ｓ２−１）。
【００４２】
なお、本実施形態において、図２に示される各表示設定部（２８、３０）の構成については、前述の色検査合否判定装置の実施形態において説明したものと同一のものとしている。
【００４３】
続いて、領域範囲設定ステップ（Ｓ２）は、領域範囲指定ステップ（Ｓ１）において領域範囲を数値による表示設定部３０を通じて数値によって設定した場合、領域範囲設定ステップ（Ｓ２）において、基準点及び合否境界を計算し、２次元グラフによる表示設定部２８に表示中の２次元グラフに表示させる。つまり、図５に示すように、まず、基準点を計算し、続いて、合否境界である領域範囲を計算し、その結果を２次元グラフに表示させるという流れである。
【００４４】
また、領域範囲指定ステップ（Ｓ１）により領域範囲を２次元グラフによる表示設定部２８に表示されている２次元グラフを通じて設定した場合は、領域範囲設定ステップ（Ｓ２）において、基準値及び許容範囲を計算し、数値による表示設定部３０に数値として表示させるように構成されている。
【００４５】
詳しくは、図６に示すように、まず、基準点が設定されているか否かの判定が行われ、基準点が設定されていれば、許容範囲のみを計算し、基準点が設定されていなければ、基準値と許容範囲が計算され、その結果を数値として表示させるという流れである。
【００４６】
続いて、測色値取得ステップ（Ｓ３）において、色検査対象物に対して光を照射するとともに、その色検査対象物から反射されてくる光のＸＹＺ値を取得していく。そして、色検査合否判定ステップ（Ｓ４）において、測色値取得ステップ（Ｓ３）で取得し、入力されてくるＸＹＺ値が、領域範囲設定ステップ（Ｓ２）において設定された領域範囲にあるか否か、つまり、合否判定の基準内にあるか否かの判定を行う。
【００４７】
詳しくは、図７に示すように、まず、判定対象の入力されてきた値が残っているか否かをチェックし（判定待ちがあるか否かをチェック）、残っていない場合には、全て「合格」となったとし、残っている場合には、その入力されてきた残りの値が、合否判定の基準内にあるか否かを判定する。合否判定の基準外であれば、残りの入力されてきた値の有無にかかわらず、「不合格」となったとし、また、合否判定の基準内であれば、１つ前のステップへと戻る。
【００４８】
１つ前のステップに戻った場合には、判定対象の入力されてきた値が残っているか否かをチェックし、残っていない場合には、全て「合格」となったとし、残っている場合には、再度、その入力されてきた値が、合否判定の基準内にあるか否かを判定する。そして、最終ステップ（Ｓ５）では、これらのステップ（Ｓ４）で判定された、「合格」または「不合格」を合否判定表示部２６を通じて表示させる（Ｓ５）ようにしている。
【産業上の利用可能性】
【００４９】
本発明に係る色検査合否判定装置及び色検査合否判定方法は、被検査対象物の色検査における合否判定基準を簡単に設定及び変更することができるとともに、設定した合否判定基準を２次元グラフによって直感的に確認することができるため、色検査技術における熟練度等に左右されずに用いることができる。
【符号の説明】
【００５０】
１０  色検査合否判定装置
１２  測色センサ
１４  領域範囲指定部
１６  領域範囲設定部
１８  色検査合否判定部
２０  ＧＵＩ
２２  表示装置
２４  領域範囲表示設定部
２６  合否判定表示部
２８  ２次元グラフによる表示設定部
３０  数値による表示設定部
３２  ラジオボタン
３４  カーソル
３６  基準点
３８  測色値
４０  合否境界
４２  入力ボックス
【図１】
0006706542.tif 000002
【図２】
0006706542.tif 000003
【図３】
0006706542.tif 000004
【図４】
0006706542.tif 000005
【図５】
0006706542.tif 000006
【図６】
0006706542.tif 000007
【図７】
0006706542.tif 000008
【図８】
0006706542.tif 000009